(57)【要約】  【課題】  映像データや音声データを複製する際的確な複製制御を行うことができないことがあった。  【解決手段】  映像検出窓を利用して映像複製許可情報の検出を行い、音声検出窓を利用して音声複製許可情報の検出を行う映像電子透かし検出手段２、音声電子透かし検出手段３であって、映像検出窓と音声検出窓とは同じ順番の検出窓同士が同じ開始点をもつ、映像電子透かし検出手段２、音声電子透かし検出手段３と、（１）映像信号の、判断の対象となった映像検出窓の開始点からつぎの映像検出窓の開始点までの部分を記録するべきかどうかの決定を行い、（２）音声信号の、判断の対象となった音声検出窓の開始点からつぎの音声検出窓の開始点までの部分を記録するべきかどうかの決定を行う制御手段４とを備えた記録装置である。【選択図】  図１
2005051626.tif 000002
【特許請求の範囲】
【請求項１】
部分ごとの複製の許可に関する第一種の複製許可情報が付加された第一種の信号、および部分ごとの複製の許可に関する第二種の複製許可情報が付加された第二種の信号の入力を行う入力手段と、
順番に並んだ複数の第一種の検出窓を利用して前記第一種の複製許可情報の検出を行い、順番に並んだ複数の第二種の検出窓を利用して前記第二種の複製許可情報の検出を行う検出手段であって、前記複数の第一種の検出窓と前記複数の第二種の検出窓とは同じ順番の検出窓同士が同じ開始点をもつ、検出手段と、
前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断手段と、
前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定手段と、
前記決定の結果に基づき、前記第一種の信号および前記第二種の信号の記録の制御を行う制御手段とを備えた記録装置。
【請求項２】
前記第二種の検出窓の長さは、前記第一種の検出窓の長さ以上であり、
前記判断の対象となった前記第二種の検出窓の終了点は、そのつぎの前記第二種の検出窓の開始点と一致している請求項１記載の記録装置。
【請求項３】
前記所定のルールとは、前記第一種の信号の前記第一種の検出窓に対応する部分、または前記第二種の信号の前記第二種の検出窓に対応する部分の何れかが記録されるべきではないと判断された場合には、前記第一種の信号の、前記判断の対象となった前記第一種の検出窓の開始点からそのつぎの前記第一種の検出窓の開始点までの部分、および前記第二種の信号の、前記判断の対象となった前記第二種の検出窓の開始点からそのつぎの前記第二種の検出窓の開始点までの部分はともに記録されるべきではないと決定するためのルールである請求項１記載の記録装置。
【請求項４】
前記所定のルールとは、前記第一種の信号の前記第一種の検出窓に対応する部分、または前記第二種の信号の前記第二種の検出窓に対応する部分の何れかが記録されるべきであると判断された場合には、前記第一種の信号の、前記判断の対象となった前記第一種の検出窓の開始点からそのつぎの前記第一種の検出窓の開始点までの部分、および前記第二種の信号の、前記判断の対象となった前記第二種の検出窓の開始点からそのつぎの前記第二種の検出窓の開始点までの部分はともに記録されるべきであると決定するためのルールである請求項１記載の記録装置。
【請求項５】
前記所定のルールとは、（１）前記第一種の信号の前記第一種の検出窓に対応する部分が記録されるべきであり、前記第二種の信号の前記第二種の検出窓に対応する部分が記録されるべきではないと判断された場合には、前記第一種の信号の、前記判断の対象となった前記第一種の検出窓の開始点からそのつぎの前記第一種の検出窓の開始点までの部分は記録されるべきであり、前記第二種の信号の、前記判断の対象となった前記第二種の検出窓の開始点からそのつぎの前記第二種の検出窓の開始点までの部分は記録されるべきではないと決定し、（２）前記第一種の信号の前記第一種の検出窓に対応する部分が記録されるべきではなく、前記第二種の信号の前記第二種の検出窓に対応する部分が記録されるべきであると判断された場合には、前記第一種の信号の、前記判断の対象となった前記第一種の検出窓の開始点からそのつぎの前記第一種の検出窓の開始点までの部分は記録されるべきではなく、前記第二種の信号の、前記判断の対象となった前記第二種の検出窓の開始点からそのつぎの前記第二種の検出窓の開始点までの部分は記録されるべきであると決定するためのルールである請求項１記載の記録装置。
【請求項６】
前記制御とは、前記記録されるべきではない旨の決定が行われた部分の前記記録を全く行わないための制御である請求項３から５の何れかに記載の記録装置。
【請求項７】
前記制御とは、前記記録されるべきではない旨の決定が行われた部分の前記記録をその信号の品質を落として行うための制御である請求項３から５の何れかに記載の記録装置。
【請求項８】
前記第一種の信号は、映像信号であり、
前記第二種の信号は、前記映像信号とともに再生されるべき音声信号であり、
前記第一種の複製許可情報と前記第二種の複製許可情報とは、電子透かしを利用して付加されている請求項２記載の記録装置。
【請求項９】
前記第一種の信号および／または前記第二種の信号の所定の変化に関する変化点の検出を行う変化点検出手段をさらに備え、
前記複数の第一種の検出窓の内の所定の検出窓の開始点およびその所定の検出窓と同じ順番の前記第二種の検出窓の開始点は、前記変化点が検出された場合には、その検出された変化点に改めて設定される請求項８記載の記録装置。
【請求項１０】
前記変化点の検出は、前記音声信号の所定時間以上の略無音期間の検出として行われる請求項９記載の記録装置。
【請求項１１】
前記変化点の検出は、前記音声信号のモノラル、ステレオ、および二音声の切り替わりの検出として行われる請求項９記載の記録装置。
【請求項１２】
前記変化点の検出は、前記第一種の信号および／または前記第二種の信号の入力形式の切り替わりの検出として行われる請求項９記載の記録装置。
【請求項１３】
前記変化点の検出は、予め指定された時間経過の検出として行われる請求項９記載の記録装置。
【請求項１４】
前記変化点の検出は、予め指定された時刻の検出として行われる請求項９記載の記録装置。
【請求項１５】
部分ごとの複製の許可に関する第一種の複製許可情報が付加された第一種の信号、および部分ごとの複製の許可に関する第二種の複製許可情報が付加された第二種の信号の入力を行う入力ステップと、
順番に並んだ複数の第一種の検出窓を利用して前記第一種の複製許可情報の検出を行い、順番に並んだ複数の第二種の検出窓を利用して前記第二種の複製許可情報の検出を行う検出ステップであって、前記複数の第一種の検出窓と前記複数の第二種の検出窓とは同じ順番の検出窓同士が同じ開始点をもつ、検出ステップと、
前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断ステップと、
前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定ステップと、
前記決定の結果に基づき、前記第一種の信号および前記第二種の信号の記録の制御を行う制御ステップとを備えた記録方法。
【請求項１６】
請求項１５記載の記録方法の、部分ごとの複製の許可に関する第一種の複製許可情報が付加された第一種の信号、および部分ごとの複製の許可に関する第二種の複製許可情報が付加された第二種の信号の入力を行う入力ステップと、順番に並んだ複数の第一種の検出窓を利用して前記第一種の複製許可情報の検出を行い、順番に並んだ複数の第二種の検出窓を利用して前記第二種の複製許可情報の検出を行う検出ステップであって、前記複数の第一種の検出窓と前記複数の第二種の検出窓とは同じ順番の検出窓同士が同じ開始点をもつ、検出ステップと、前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断ステップと、前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定ステップと、前記決定の結果に基づき、前記第一種の信号および前記第二種の信号の記録の制御を行う制御ステップとをコンピュータに実行させるためのプログラム。
【請求項１７】
請求項１６記載のプログラムを担持した記録媒体であって、コンピュータにより処理可能な記録媒体。
【発明の詳細な説明】
【技術分野】
【０００１】
本発明は、たとえば映像信号や音声信号などの複数の信号から成る一連のコンテンツを複製する際に、それぞれの信号に電子透かし技術などによって埋め込まれた付加情報を利用して複製制御を行う記録装置、記録方法、プログラム、および記録媒体に関するものである。
【背景技術】
【０００２】
近年ＡＶ機器のディジタル化が進むに伴い、品質を劣化させることなくコンテンツを複製することが可能になった。しかし、著作権のあるコンテンツを無制限に複製することは著作権保持者の権利を侵害する恐れがある。ＡＶ機器としても適切な著作権保護機能を持つことが要望されている。
【０００３】
オーディオ機器は１９８０年代以降ＣＤ、ＤＡＴ、ＭＤなどのディジタル機器が発売され、これに伴い、著作権保護のための複製制御機能が開発された。
【０００４】
ディジタルオーディオ機器の複製制御としては、１９８０年代から、シリアルコピーマネジメントシステム（以下ＳＣＭＳと略称する）が広く使用されている。ＳＣＭＳは、ＣＤ、ＭＤや放送電波などのメディアにコンテンツとともに複製制御情報を記録しておき、同一筐体内、あるいは、異なる機器間をディジタルインターフェイスを介して接続してコンテンツを複製する場合に、記録器機が被複製コンテンツの複製制御情報に従って複製の可否制御を行うものである。ＳＣＭＳはＭＤなどの民生用録音機器では一定の効果を上げている。
【０００５】
しかし、ＳＣＭＳでは複製制御情報をコンテンツと独立したディジタルデータとして持つ。このため、アナログ伝送の場合には複製制御情報が伝送できず、複製制御もできない。また、パーソナルコンピュータなどを用いると容易に複製制御情報を無効化できる。
【０００６】
このようなＳＣＭＳの問題点を踏まえて、ＤＶＤやＳＤ（Ｓｅｃｕｒｅ  Ｄｉｇｉｔａｌ）メモリカード用オーディオ規格（以下ＳＤオーディオと省略する）の著作権保護システムであるＣｏｎｔｅｎｔ  Ｐｒｏｔｅｃｔｉｏｎ  ｆｏｒ  Ｐｒｅｒｅｃｏｒｄｅｄ  Ｍｅｄｉａ規格、及びＣｏｎｔｅｎｔ  Ｐｒｏｔｅｃｔｉｏｎ  ｆｏｒ  Ｒｅｃｏｒｄａｂｌｅ  Ｍｅｄｉａ規格（以下ＣＰＰＭ、ＣＰＲＭと省略する）では、オーディオ用電子透かしを利用した複製制御方式が採用されている。また、音楽業界、コンピュータ業界、民生エレクトロニクス業界などが参加して決めたＳＤＭＩ（Ｓｅｃｕｒｅ  Ｄｉｇｉｔａｌ  Ｍｕｓｉｃ  Ｉｎｉｔｉａｔｉｖｅ）規格でも同様のオーディオ用電子透かしを用いた複製制御・再生制御方式が採用されている。
【０００７】
電子透かしは、これを埋めこんだ信号を再生した場合でも、通常の視聴では原信号との違いが認識できず、コンテンツの品質を損なわない。電子透かしはコンテンツに直接埋め込まれるため、アナログ伝送でも複製制御情報が伝送できる。また、通常のオーディオ圧縮・伸張（ＭＰ３など）を経ても複製制御情報が保持されるという耐久力もある。さらに、特別な埋め込み装置と特別な解読装置とを用いないと読み書きできない。コンテンツ自体の暗号化と組み合わせることによりＳＣＭＳなどよりも強力な複製制御を実現できる。
【０００８】
ＣＰＰＭ、ＣＰＲＭ、ＳＤＭＩで用いられているオーディオ用電子透かし技術は、リニアＰＣＭ形式のディジタルオーディオデータに１２ビットの情報を電子透かしとして埋め込むことができる。このうち複製制御に用いられるのは２ビットで、「複製自由」、「一世代複製可」および「複製禁止」の３つの状態を示す。２ビットであるから４状態を示すことができるが、残りの１つは使用禁止となっている。
【０００９】
以上は、主にオーディオ用の電子透かしを利用した複製制御・再生制御方式であるが、同様にオーディオおよびビデオの両方で構成されるＡＶコンテンツにおいて、ビデオ信号にも電子透かしを導入して、複製制御を行うことが検討されている。
【００１０】
従来の電子透かしを用いたＡＶコンテンツの複製制御としては著作権保護方式がある（たとえば、特許文献１参照）。
【００１１】
図７は、電子透かし（ウォーターマーク、ＷＭと略称する）を埋め込まれたアナログ映像信号、アナログ音声信号の供給を受けて、これらを記録媒体１００に記録する、従来の記録装置を説明するためのブロック図である。この従来の記録装置において、記録媒体１００は、書き換え可能なＤＶＤなどのディスクである。
【００１２】
図７に示すように、この従来の記録装置は、アナログ映像信号の入力端子５１、Ａ／Ｄ変換部５２、映像用ＷＭ検出部５３、映像信号検出部５４、映像用圧縮処理部５５、照合部５６、アナログ音声信号の入力端子５７、Ａ／Ｄ変換部５８、音声用ＷＭ検出部５９、音声信号検出部６０、音声用圧縮処理部６１、ＷＭリマーク部６２、マルチプレックス部６３、書き込み部６４、判定部６５、警告情報発生部６６、合成部６７、Ｄ／Ａ変換部６８、アナログ信号の出力端子６９、ディジタル信号の入力端子７０、ディジタルインターフェース７１を備えている。
【００１３】
アナログ映像信号Ｖｄａは、図７に示した従来の記録装置の入力端子５１を通じてＡ／Ｄ変換部５２に供給される。Ａ／Ｄ変換部５２は、アナログ映像信号Ｖｄａをディジタル映像信号Ｖｄｄに変換し、これを映像用ＷＭ検出部５３と、映像信号検出部５４とに供給する。
【００１４】
映像用ＷＭ検出部５３は、映像信号Ｖｄｄをそのまま映像用圧縮処理部５５に供給するとともに、映像信号Ｖｄｄに電子透かし情報として重畳されている映像用付加情報ＦＶを検出し、検出した映像用付加情報ＦＶを照合部５６と判定部６５とに供給する。
【００１５】
映像用ＷＭ検出部５３を介して、映像用圧縮処理部５５に供給された映像信号Ｖｄｄは、映像用圧縮処理部５５において例えばＭＰＥＧ方式でデータ圧縮された後にマルチプレックス部６３に供給される。
【００１６】
そして、映像用ＷＭ検出部５３においては、以下に説明するように映像信号Ｖｄｄに電子透かし情報として重畳されている映像用付加情報ＦＶを検出する。図８は、この従来の記録装置の映像用ＷＭ検出部５３を説明するためのブロック図である。この従来の映像用ＷＭ検出部５３は、図８に示すように、タイミング制御部５３１、ＰＮ発生部５３２、逆拡散部５３３、ＷＭ判定部５３４を備えている。
【００１７】
そして、Ａ／Ｄ変換部５２からの映像信号Ｖｄｄは、前述したように、映像用ＷＭ検出部５３を介して、そのまま映像用圧縮処理部５５に供給するようにされるとともに、映像用ＷＭ検出部５３のタイミング制御部５３１と、逆拡散部５３３に供給される。
【００１８】
映像用ＷＭ検出部５３のタイミング制御部５３１は、映像信号Ｖｄｄに含まれる情報から、垂直同期のタイミング、水平同期のタイミングを検出し、これらのタイミングを基準信号として用いて、ＰＮ符号リセットタイミング信号ＲＥ、ＰＮ発生イネーブル信号ＥＮ、ＰＮクロック信号ＰＮＣＬＫなどの各種のタイミング信号を生成する。
【００１９】
すなわち、タイミング制御部５３１は、映像信号Ｖｄｄに対し、映像用付加情報ＦＶをスペクトラム拡散したときと同じタイミングを提供するリセット信号ＲＥ、イネーブル信号ＥＮ、クロック信号ＰＮＣＬＫを生成し、これらのタイミング信号をＰＮ発生部５３２に供給する。
【００２０】
ＰＮ発生部５３２は、リセット信号ＲＥ、イネーブル信号ＥＮ、クロック信号ＰＮＣＬＫに基づいて、映像信号Ｖｄｄに対して、映像用付加情報ＦＶがスペクトラム拡散されたときと同じタイミングで同じＰＮ符号列ＰＳを発生させ、これを逆拡散部５３３に供給する。
【００２１】
逆拡散部５３３は、ＰＮ発生部５３２からのＰＮ符号列ＰＳを映像信号Ｖｄｄに掛け合わせるようにして逆スペクトラム拡散を行い、映像信号Ｖｄｄに電子透かし情報として重畳されている映像用付加情報列を抽出し、これを電子透かし情報判定部（ＷＭ判定部）５３４に供給する。
【００２２】
ＷＭ判定部５３４は、逆拡散部５３３からの映像用付加情報列を積算するようにし、８ビットの映像用付加情報ＦＶを判別するようにする。そして、判別した映像用付加情報ＦＶを照合部５６と、判定部６５に供給する。このとき、この従来例においては、ＷＭ判定部５３４は、映像用付加情報ＦＶの検出の確からしさをも検出し、この確からしさを示す情報をも判定部６５に供給する。
【００２３】
ここで、映像用付加情報の検出の確からしさを示す情報は、映像用付加情報ＦＶが、安定に検出されたか、不安定に検出されたかを示す情報である。図１０、図１１は、映像用付加情報ＦＶの検出の確からしさについて説明するための図である。
【００２４】
この実施の形態において、ＷＭ判定部５３４は、逆拡散部５３３においての逆スペクトラム拡散の結果得られた情報を積算していくことにより、図１０に示すように、除々に検出レベルが向上し、映像用付加情報ＦＶが、常時安定に検出することができた場合には、映像用付加情報ＦＶの検出の確からしさは高く、映像用付加情報ＦＶは、良好かつ正確に検出されたものであると判断し、これを判定部６５に通知する。
【００２５】
また、逆拡散部５３３においての逆スペクトラム拡散の結果得られた情報を積算していくことにより、図１１に示すように、検出レベルが上下し、時々にしか（不安定にしか）映像用付加情報ＦＶが検出されないような場合には、映像用付加情報ＦＶの検出の確からしさは低く、誤検出である可能性があると判断し、これを判定部６５に通知する。
【００２６】
また、Ａ／Ｄ変換部５２からのディジタル映像信号Ｖｄｄの供給を受ける映像信号検出部５４は、供給される信号のレベルを監視し、映像信号Ｖｄｄが真に供給されたか、それとも供給されていないのかを検出し、その検出結果を判定部６５に通知する。
【００２７】
このように、映像信号検出部５４を設けることによって、映像用付加情報ＦＶが検出されない場合に、映像信号が供給されたにもかかわらず、その供給された映像信号に映像用付加情報ＦＶが重畳されていないために映像用付加情報が検出されないのか、あるいは、映像信号が供給されないために映像用付加情報が検出されないのかを確認することができるようにしている。
【００２８】
一方、アナログ音声信号Ａｖａは、図７に示した従来の記録装置の入力端子５７を通じてＡ／Ｄ変換部５８に供給される。Ａ／Ｄ変換部５８は、アナログ音声信号Ａｕａをディジタル音声信号Ａｕｄに変換し、これを音声用ＷＭ検出部５９、音声信号検出部６０に供給する。
【００２９】
音声用ＷＭ検出部５９は、音声信号Ａｕｄを音声用圧縮処理部６１に供給するとともに、音声信号Ａｕｄに電子透かし情報として重畳されている音声用付加情報ＦＡを検出し、検出した映像用付加情報ＦＡを照合部５６と判定部６５に供給する。
【００３０】
音声用ＷＭ検出部５９を介して、音声用圧縮処理部６１に供給された音声信号Ａｕｄは、音声用圧縮処理部６１において例えばＭＰＥＧオーディオ方式でデータ圧縮された後に電子透かし情報リマーク部（ＷＭリマーク部）６２に供給される。
【００３１】
そして、音声用ＷＭ検出部５９においては、以下に説明するように音声信号Ａｕｄに電子透かし情報として重畳されている音声用付加情報ＦＡを検出する。図９は、この従来の記録装置の音声用ＷＭ検出部５９を説明するためのブロック図である。この従来の音声用ＷＭ検出部５９は、図９に示すように、ＭＤＣＴ演算部５９１、電子透かし情報抽出部（ＷＭ抽出部）５９２を備えている。
【００３２】
音声用ＷＭ検出部５９のＭＤＣＴ演算部５９１は、供給された音声信号Ａｕｄに対しＭＤＣＴ演算を行って、ＭＤＣＴ係数を求める。求めたＭＤＣＴ係数は、ＷＭ抽出部５９２に供給される。
【００３３】
ＷＭ抽出部５９２は、電子透かし情報とされた音声用付加情報ＦＡが重畳されている部分のＭＤＣＴ係数から電子透かし情報を抽出し、これを積算するようにして、電子透かし情報として音声信号Ａｕｄ重畳されている音声用付加情報ＦＡを抽出する。そして、抽出した音声用付加情報ＦＡを照合部５６と判定部６５に供給する。
【００３４】
また、この音声用ＷＭ検出部５９のＷＭ抽出部５９２は、映像用ＷＭ検出部５３のＷＭ判定部５３４と同様に、音声信号Ａｕｄに電子透かし情報として重畳されている音声用付加情報ＦＡの検出の確からしさを判別して、判別結果を判定部６５に供給する。
【００３５】
すなわち、音声用ＷＭ検出部５９のＷＭ抽出部５９２もまた、音声信号Ａｕｄに電子透かし情報として重畳されている音声用付加情報ＦＡが、図１０に示したように、安定に検出された場合には、検出の確からしさは高く、図１１に示したように、不安定に検出された場合（安定に検出されない場合）には、検出の確からしさは低いと判別する。
【００３６】
また、Ａ／Ｄ変換部５８からのディジタル音声信号Ａｕｄの供給を受ける音声信号検出部６０は、供給される音声信号のレベルを監視し、音声信号Ａｕｄが真に供給されたか、それとも供給されていないのかを検出し、その検出結果を判定部６５に通知する。
【００３７】
このように、音声信号検出部６０を設けることによって、音声用付加情報ＦＡが検出されない場合に、音声信号Ａｕｄが供給されたにもかかわらず、その供給された音声信号Ａｕｄに音声用付加情報ＦＡが重畳されていないために音声用付加情報ＦＡが検出されないのか、あるいは、音声信号Ａｕｄが供給されないために音声用付加情報ＦＡが検出されないのかを確認することができるようにしている。
【００３８】
そして、この実施の形態においては、前述したセットトップボックス２のデマルチプレックス部３５において映像信号から抽出したＣＧＭＳ情報が、ディジタルインターフェース３６、ディジタル信号の出力端子３７を介して出力される。このセットトップボックス２から出力されたＣＧＭＳ情報が、従来の記録装置のディジタル信号の入力端子７０、ディジタルインターフェース７１を通じて従来の記録装置に受け付けられ、これが判定部６５に供給される。
【００３９】
そして、前述したように、映像用ＷＭ検出部５３において検出された映像用付加情報ＦＶと、音声用ＷＭ検出部５９において検出された音声用付加情報ＦＡとの供給を受ける照合部５６は、映像用付加情報ＦＶの関連付け情報ＲＳと、音声用付加情報ＦＡの関連付け情報ＲＳとを照合する。そして、照合部５６は、映像用付加情報ＦＶと音声用付加情報ＦＡとの両方の関連付け情報が同じであり、両付加情報の関連付けがされたか否かを示す照合結果を判定部６５に供給する。
【００４０】
そして、判定部６５は、照合部５６からの照合結果と、映像用ＷＭ検出部５３からの映像用付加情報ＦＶとその検出の確からしさを示す情報、音声用ＷＭ検出部５９からの音声用付加情報ＦＡとその検出の確からしさを示す情報、映像信号検出部５４からの映像信号の有無を通知する情報、音声信号検出部６０からの音声信号の有無を検出する情報に基づいて、従来の記録装置に供給された映像信号Ｖｄａと音声信号Ａｕａとは記録媒体１００に複製可能なものであるか否かを、図１２に示されているような規則を利用して総合的に判定する。なお、図１２は、複製制御や再生制御を行うための映像信号に重畳された複製制御情報と音声信号に重畳された複製制御情報との論理関係（組み合わせ）の図である。
【特許文献１】特開２００１−３６７２３号公報（たとえば、第１８−２３頁、図７、８、９、１０、１１、１２）
【発明の開示】
【発明が解決しようとする課題】
【００４１】
しかしながら、上記従来の構成では、部分ごとに複製が許可されているかどうかを示す付加情報が所定の時間分の情報信号から検出される方法で付加され、それぞれを独立して利用可能な複数の情報信号を扱う場合、部分ごとの複製可否判断を適切なタイミングで行えず、様々な不具合が発生することがあった。
【００４２】
たとえば、放送受信の留守録画など複数のコンテンツを連続して記録するときに、検出に所定の時間がかかる電子透かしを複数種類使用して複製可否の付加情報を得る場合、電子透かしの検出タイミングなどを適切に管理できないため、希望のコンテンツが記録できなかったり、一部が欠けてしまうなどの不具合が発生する恐れがある。
【００４３】
より具体的には、オーディオ用電子透かしは所定時間長（ＳＤＭＩ、ＣＰＲＭ、ＣＰＰＭの場合は１５秒）のリニアＰＣＭ形式のディジタルオーディオデータを所定の信号処理することで検出される。ビデオ用電子透かしは、１フレームを静止画とみなして埋め込むことも可能であるが、複数のフレームからなる所定の時間以上の動画から検出する方式も提案されている。オーディオおよびビデオ電子透かし検出に要する時間（検出窓長）は必ずしも同じとは限らない。
【００４４】
たとえば、図１３のようにオーディオ電子透かしの検出窓長とビデオ電子透かしの検出窓長が異なる場合、それぞれの検出窓の重なり具合によって記録の可否判定に影響が出て、記録制御における記録か破棄かを判定する判定ポイント間の時間長が頻繁に変動し、記録制御動作が不安定になることがあった。
【００４５】
より具体的には、図１３において、映像信号の検出窓（Ｖ１）の終了時点および、音声信号の検出窓（Ａ１）の終了時点は、ほぼ同時刻で、両信号共に「複製可」の電子透かしが検出されるので、両方の信号とも複製してよい。しかし、映像信号検出窓（Ｖ２）の終了時点は、音声信号の検出窓とずれている。このようにして、記録制御において、（１）、（４）、（５）、（８）の時間長は、（２）、（３）、（６）、（７）の時間長より大きくなってしまう。
【００４６】
本発明は、上記従来のこのような課題を考慮し、電子透かしによって埋め込まれた複製制御情報に基づき、映像データや音声データを複製する際に、より的確な複製制御を行うことができる記録装置、記録方法、プログラム、および記録媒体を提供することを目的とするものである。
【課題を解決するための手段】
【００４７】
第１の本発明は、部分ごとの複製の許可に関する第一種の複製許可情報が付加された第一種の信号、および部分ごとの複製の許可に関する第二種の複製許可情報が付加された第二種の信号の入力を行う入力手段と、
順番に並んだ複数の第一種の検出窓を利用して前記第一種の複製許可情報の検出を行い、順番に並んだ複数の第二種の検出窓を利用して前記第二種の複製許可情報の検出を行う検出手段であって、前記複数の第一種の検出窓と前記複数の第二種の検出窓とは同じ順番の検出窓同士が同じ開始点をもつ、検出手段と、
前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断手段と、
前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定手段と、
前記決定の結果に基づき、前記第一種の信号および前記第二種の信号の記録の制御を行う制御手段とを備えた記録装置である。
【００４８】
第２の本発明は、前記第二種の検出窓の長さは、前記第一種の検出窓の長さ以上であり、
前記判断の対象となった前記第二種の検出窓の終了点は、そのつぎの前記第二種の検出窓の開始点と一致している第１の本発明の記録装置である。
【００４９】
第３の本発明は、前記所定のルールとは、前記第一種の信号の前記第一種の検出窓に対応する部分、または前記第二種の信号の前記第二種の検出窓に対応する部分の何れかが記録されるべきではないと判断された場合には、前記第一種の信号の、前記判断の対象となった前記第一種の検出窓の開始点からそのつぎの前記第一種の検出窓の開始点までの部分、および前記第二種の信号の、前記判断の対象となった前記第二種の検出窓の開始点からそのつぎの前記第二種の検出窓の開始点までの部分はともに記録されるべきではないと決定するためのルールである第１の本発明の記録装置である。
【００５０】
第４の本発明は、前記所定のルールとは、前記第一種の信号の前記第一種の検出窓に対応する部分、または前記第二種の信号の前記第二種の検出窓に対応する部分の何れかが記録されるべきであると判断された場合には、前記第一種の信号の、前記判断の対象となった前記第一種の検出窓の開始点からそのつぎの前記第一種の検出窓の開始点までの部分、および前記第二種の信号の、前記判断の対象となった前記第二種の検出窓の開始点からそのつぎの前記第二種の検出窓の開始点までの部分はともに記録されるべきであると決定するためのルールである第１の本発明の記録装置である。
【００５１】
第５の本発明は、前記所定のルールとは、（１）前記第一種の信号の前記第一種の検出窓に対応する部分が記録されるべきであり、前記第二種の信号の前記第二種の検出窓に対応する部分が記録されるべきではないと判断された場合には、前記第一種の信号の、前記判断の対象となった前記第一種の検出窓の開始点からそのつぎの前記第一種の検出窓の開始点までの部分は記録されるべきであり、前記第二種の信号の、前記判断の対象となった前記第二種の検出窓の開始点からそのつぎの前記第二種の検出窓の開始点までの部分は記録されるべきではないと決定し、（２）前記第一種の信号の前記第一種の検出窓に対応する部分が記録されるべきではなく、前記第二種の信号の前記第二種の検出窓に対応する部分が記録されるべきであると判断された場合には、前記第一種の信号の、前記判断の対象となった前記第一種の検出窓の開始点からそのつぎの前記第一種の検出窓の開始点までの部分は記録されるべきではなく、前記第二種の信号の、前記判断の対象となった前記第二種の検出窓の開始点からそのつぎの前記第二種の検出窓の開始点までの部分は記録されるべきであると決定するためのルールである第１の本発明の記録装置である。
【００５２】
第６の本発明は、前記制御とは、前記記録されるべきではない旨の決定が行われた部分の前記記録を全く行わないための制御である請求項３から５の何れかに記載の記録装置である。
【００５３】
第７の本発明は、前記制御とは、前記記録されるべきではない旨の決定が行われた部分の前記記録をその信号の品質を落として行うための制御である第３から第５の何れかの本発明の記録装置である。
【００５４】
第８の本発明は、前記第一種の信号は、映像信号であり、
前記第二種の信号は、前記映像信号とともに再生されるべき音声信号であり、
前記第一種の複製許可情報と前記第二種の複製許可情報とは、電子透かしを利用して付加されている第２の発明の記録装置である。
【００５５】
第９の本発明は、前記第一種の信号および／または前記第二種の信号の所定の変化に関する変化点の検出を行う変化点検出手段をさらに備え、
前記複数の第一種の検出窓の内の所定の検出窓の開始点およびその所定の検出窓と同じ順番の前記第二種の検出窓の開始点は、前記変化点が検出された場合には、その検出された変化点に改めて設定される第８の本発明の記録装置である。
【００５６】
第１０の本発明は、前記変化点の検出は、前記音声信号の所定時間以上の略無音期間の検出として行われる第９の本発明の記録装置である。
【００５７】
第１１の本発明は、前記変化点の検出は、前記音声信号のモノラル、ステレオ、および二音声の切り替わりの検出として行われる第９の本発明の記録装置である。
【００５８】
第１２の本発明は、前記変化点の検出は、前記第一種の信号および／または前記第二種の信号の入力形式の切り替わりの検出として行われる第９の本発明の記録装置である。
【００５９】
第１３の本発明は、前記変化点の検出は、予め指定された時間経過の検出として行われる第９の本発明の記録装置である。
【００６０】
第１４の本発明は、前記変化点の検出は、予め指定された時刻の検出として行われる第９の本発明の記録装置である。
【００６１】
第１５の本発明は、部分ごとの複製の許可に関する第一種の複製許可情報が付加された第一種の信号、および部分ごとの複製の許可に関する第二種の複製許可情報が付加された第二種の信号の入力を行う入力ステップと、
順番に並んだ複数の第一種の検出窓を利用して前記第一種の複製許可情報の検出を行い、順番に並んだ複数の第二種の検出窓を利用して前記第二種の複製許可情報の検出を行う検出ステップであって、前記複数の第一種の検出窓と前記複数の第二種の検出窓とは同じ順番の検出窓同士が同じ開始点をもつ、検出ステップと、
前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断ステップと、
前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定ステップと、
前記決定の結果に基づき、前記第一種の信号および前記第二種の信号の記録の制御を行う制御ステップとを備えた記録方法である。
【００６２】
第１６の本発明は、第１５の本発明の記録方法の、部分ごとの複製の許可に関する第一種の複製許可情報が付加された第一種の信号、および部分ごとの複製の許可に関する第二種の複製許可情報が付加された第二種の信号の入力を行う入力ステップと、順番に並んだ複数の第一種の検出窓を利用して前記第一種の複製許可情報の検出を行い、順番に並んだ複数の第二種の検出窓を利用して前記第二種の複製許可情報の検出を行う検出ステップであって、前記複数の第一種の検出窓と前記複数の第二種の検出窓とは同じ順番の検出窓同士が同じ開始点をもつ、検出ステップと、前記第一種の複製許可情報の検出結果に基づいて前記第一種の信号の前記第一種の検出窓に対応する部分を記録するべきかどうかの判断を行い、前記第二種の複製許可情報の検出結果に基づいて前記第二種の信号の前記第二種の検出窓に対応する部分を記録するべきかどうかの判断を行う判断ステップと、前記二つの判断の結果に基づき、所定のルールを利用して、（１）前記第一種の信号の、前記判断の対象となった前記第一種の検出窓の開始点からそのつぎの前記第一種の検出窓の開始点までの部分を記録するべきかどうかの決定を行い、（２）前記第二種の信号の、前記判断の対象となった前記第二種の検出窓の開始点からそのつぎの前記第二種の検出窓の開始点までの部分を記録するべきかどうかの決定を行う決定ステップと、前記決定の結果に基づき、前記第一種の信号および前記第二種の信号の記録の制御を行う制御ステップとをコンピュータに実行させるためのプログラムである。
【００６３】
第１７の本発明は、第１６の本発明のプログラムを担持した記録媒体であって、コンピュータにより処理可能な記録媒体である。
【発明の効果】
【００６４】
本発明は、電子透かしによって埋め込まれた複製制御情報に基づき、映像データや音声データを複製する際に、より的確な複製制御を行うことができるという長所を有する。
【発明を実施するための最良の形態】
【００６５】
以下、本発明の実施の形態について、図面を用いて説明する。
【００６６】
なお、複製制御情報は、一般的に「複製禁止」、「一世代複製可」、「複製自由」の３状態があり、電子透かしの場合は、さらに電子透かし未検出という状態もある。また、仕様によっては「複製禁止」が「これ以上の複製禁止」と「絶対複製禁止」の２状態に分かれるものもある。以下の実施の形態では、説明を簡単にするために「一世代複製可」「複製自由」と電子透かし未検出とをまとめて「複製可」と扱う。また、「複製禁止」も１状態だけとする。しかし、記録媒体にコンテンツを複製するときには、記録器機や媒体の仕様に応じて「一世代複製可」と「複製自由」を区別する必要などがあることは言うまでもない。
【００６７】
（実施の形態１）
はじめに、図１を主として参照しながら、本実施の形態の記録装置の構成について説明する。
【００６８】
図１は、本発明の実施の形態１による記録装置の構成を示すブロック図である。
【００６９】
１は音声付きビデオコンテンツを入力するコンテンツデータ入力端子であり、２はコンテンツデータの映像部分から電子透かしの検出を行い複製制御情報を抽出する映像電子透かし検出手段であり、３はコンテンツデータの音声部分から電子透かしの検出を行い複製制御情報を抽出する音声電子透かし検出手段であり、４は映像電子透かし検出手段２および音声電子透かし検出手段３の検出開始を制御するとともに、映像電子透かし検出手段２および音声電子透かし検出手段３で検出された複製制御情報に基づき一時記憶部と記録媒体への書き込みを制御する制御手段であり、５は入力コンテンツデータを一時的に記憶する一時記憶手段であり、６は入力コンテンツデータを記録媒体に記録する記録手段であり、７はコンテンツデータを記録する記録媒体である。
【００７０】
なお、本実施の形態においては、音声信号の電子透かし検出窓（Ａｘ）は、映像信号の電子透かし検出窓（Ｖｘ）に比べて長いとする（もちろん、これに限らず、たとえば、映像信号の電子透かし検出窓（Ｖｘ）が、音声信号の電子透かし検出窓（Ａｘ）に比べて長くてもよい）。
【００７１】
また、本実施の形態においては、音声信号の電子透かし検出窓（Ａｘ）の終了点は、そのつぎの音声信号の電子透かし検出窓（Ａｘ）の開始点と一致しているとする（もちろん、これに限らず、たとえば、音声信号の電子透かし検出窓（Ａｘ）の終了点が、そのつぎの音声信号の電子透かし検出窓（Ａｘ）の開始点と一致していなくてもよい）。
【００７２】
なお、コンテンツデータ入力端子１は本発明の入力手段に対応し、映像電子透かし検出手段２、音声電子透かし検出手段３を含む手段は本発明の検出手段に対応し、制御手段４は本発明の判断手段、決定手段、および制御手段を含む手段に対応する。また、本実施の形態の映像信号は本発明の第一種の信号に対応し、本実施の形態の音声信号は本発明の第二種の信号に対応する。
【００７３】
つぎに、本実施の形態の記録装置の動作について説明する。なお、本実施の形態の記録装置の動作について説明しながら、本発明の記録方法の一実施の形態についても説明する（その他の実施の形態についても同様である）。
【００７４】
以下、コンテンツデータの記録動作について説明する。
【００７５】
入力コンテンツは一時記憶手段５に蓄積される。
【００７６】
同時に映像電子透かし検出手段２にて検出窓単位に映像信号の電子透かし検出が行われ、音声電子透かし検出手段３にて音声信号の検出窓単位に音声信号の電子透かし検出が行われ、複製制御情報が抽出される。このタイミングの一例を図２に示す。
【００７７】
電子透かしの埋め込み形態によっては、入力コンテンツは電子透かし検出のために何らかの前処理が必要となる場合もある。たとえば、入力コンテンツがＭＰＥＧ２形式であり、音声用電子透かしがリニアＰＣＭ形式のデータからでないと検出できない場合には、ＭＰＥＧ２をデコードしてリニアＰＣＭ形式に変換する必要がある。特に図示しないが、このような処理が必要に応じて実施される。
【００７８】
電子透かしの検出窓開始は、制御手段４によって映像電子透かし検出手段２および音声電子透かし検出手段３に指示される。本実施の形態では音声信号の電子透かし検出窓（Ａｘ）が映像信号の電子透かし検出窓（Ｖｘ）より長いので、音声信号の電子透かし検出窓のタイミングで映像信号の電子透かし検出窓を開始させればよい。電子透かしの実装によっては所定の電子透かし検出窓分の時間が経過すると、電子透かし検出手段から検出が終了したことを通知し、引き続き次の電子透かし検出窓の処理を実施する場合もある。このような実装の場合、映像電子透かし検出手段２は音声電子透かし検出窓の途中で映像電子透かし検出が終了したことを通知し、引き続き次の映像電子透かし検出窓の処理を実施する。制御手段４は、音声電子透かし検出手段３からの音声電子透かし終了通知を受けた後、映像電子透かし検出手段２に映像電子透かし検出開始の指示を送ることにより、映像および音声の電子透かしを同時に検出開始することができる。
【００７９】
電子透かしの方式によっては、一つ一つの検出窓で独立した検出をする方式もあれば、前の検出窓の結果も加味して検出を行う方式もある。映像電子透かし検出手段２が前の検出窓の結果を加味する方式の場合、音声信号の電子透かし検出窓のタイミングで映像の検出窓を開始する場合には、前の検出窓の結果を加味するよう電子透かし検出手段を制御する。
【００８０】
制御手段４は音声電子透かし検出窓単位に通知されてくる音声の複製制御情報、および映像の複製制御情報の両方が「複製禁止」であった場合には一時記憶手段５に蓄積されていたコンテンツデータを破棄し、通知されてくる複製制御情報のどちらか一方でも「複製可」もしくは「未検出」であった場合には、一時記憶手段５によって、コンテンツデータを記録手段６に書き出す制御を行う。なお、映像電子透かし検出手段２、および音声電子透かし検出手段３が複製制御情報を制御手段４に通知するときに一時記憶手段５に蓄積されているコンテンツデータは、電子透かし検出を実行した検出窓のコンテンツデータと一致する。
【００８１】
上記のように記録動作を行ったときに、コンテンツデータ内に埋め込まれた複製制御情報と記録媒体に記録されるコンテンツデータとの関係を図２を用いて説明する。
【００８２】
時間は、同図において左から右へ経過していく。
【００８３】
入力コンテンツは、最初複製制御情報が「複製可」であり、その後一旦「複製禁止」となり、その後再び「複製可」となっている。
【００８４】
この入力コンテンツを映像電子透かし検出手段２、および音声電子透かし検出手段３に入力して電子透かしを検出し複製制御情報を取得する。前述の通り、電子透かしの検出は映像、音声それぞれの検出窓毎に出力される。音声電子透かし検出窓（Ａ１）では、映像および音声検出窓に含まれる電子透かしについて「複製可」が検出され、下向きの矢印で示したタイミングでそれぞれ検出結果が得られる。同様に検出窓（Ａ２）、（Ａ３）では「複製禁止」、検出窓（Ａ４）では再び「複製可」が検出され、下向きの矢印で示したタイミングでそれぞれの検出結果が得られる。検出結果が得られたタイミングでは、丁度当該検出窓分のコンテンツデータが一時記憶手段５に蓄積されているので、同図のように検出結果にしたがって蓄積されたデータを「記録」または「破棄」する。
【００８５】
このように制御することで、電子透かしによって「複製可」が指定されているコンテンツデータ部分に関し、記録媒体７に記録される。
【００８６】
なお、入力コンテンツデータを圧縮して記録媒体７に記録する場合は、一時記憶手段５の前段に圧縮手段を配置する。制御内容は基本的に図１の構成の場合と同じである。
【００８７】
また、コンテンツデータを暗号化して記録媒体に記録する場合は、コンテンツ暗号化部を一時記憶手段５の前段に配しても後段に配しても良いが、コンテンツ暗号化部を一時記憶手段５の後段に配すれば、「複製禁止」から「複製可」に遷移した際に暗号鍵を変更し、トラック（論理的なトラックである、以下同様）を分割して記録することが可能になる。
【００８８】
なお、もし映像信号または音声信号のどちらか一方の複製制御が「複製禁止」、もう一方の複製制御情報が「複製可」（「未検出」も含む）であった場合、電子透かしの仕様によっては当該部分のコンテンツを「複製禁止」として破棄してもよい。すなわち、電子透かしが「一世代複製可」、「複製可」の２状態を「複製禁止」に誤検出する確率が十分に低くなるよう設計されている場合、「複製禁止」を優先するという考え方である。また、ディジタル的には複製が禁止されている高音質の音声コンテンツ（たとえば、ＤＶＤオーディオのコンテンツ）をアナログ経由でＡＶコンテンツとしてディジタルメディアにコピーする事を防ぐために、音声信号の電子透かしだけを検出して複製制御をすることがある。このような場合には、あえて映像電子透かしを無視することもある。
【００８９】
また、もし映像信号または音声信号のどちらか一方の複製制御が「複製禁止」、もう一方の複製制御情報が「複製可」（「未検出」も含む）であった場合、「複製可」であった信号のみを複製するようにしてもよい。たとえば、音声信号のみが「複製可」であれば、映像はブルーバックにして記録する。逆に映像信号のみが「複製可」であれば、音声をミュートした状態で記録する。
【００９０】
あるいは、もし映像信号または音声信号のどちらか一方の複製制御が「複製禁止」、もう一方の複製制御情報が「複製可」（「未検出」も含む）であった場合、「複製禁止」であった信号のみ品質を劣化させて記録してもよい。たとえば、音声信号が「複製禁止」出会った場合通常は４４．１ｋＨｚサンプリング、１６ビット、ステレオ記録するところを、１６ｋＨｚサンプリング、１６ビット、モノラル記録に、品質を下げて記録する。
【００９１】
また、本実施の形態では、電子透かしの検出窓が固定長の場合について説明したが、所定の長さ以上の時間で、電子透かし検出の内部状態が所定の基準を満たした場合、検出が完了するという方式もある。たとえば、検出条件として、基準値以上のレベルの信号が基準時間以上継続し、その中で特定の値の電子透かしを検出する割合が規定以上であれば電子透かし検出が完了する、と見なす方式である。このような場合には、映像電子透かし検出手段、音声電子透かし検出手段が電子透かしを検出するタイミングは所定の時間以上であるが、厳密な意味では一定でない。しかし、本実施の形態で示した記録方式はそのまま適用可能である。
【００９２】
また、本発明と従来のＳＣＭＳやＣＰＲＭとを組み合わせて実施することも可能である。たとえば、ＳＣＭＳと組み合わせた場合、ＳＣＭＳの複製制御情報を監視し、もしＳＣＭＳで複製禁止情報が検出されれば、それを信用し、もし、ＳＣＭＳで複製可が検出された場合にはさらに電子透かしの検出を行うようにする。ＳＣＭＳは一般に電子透かしに比べ検出時間がかからないので、このような制御を行う場合、機器動作が早くなる。
【００９３】
（実施の形態２）
つぎに、図３を主として参照しながら、本実施の形態の映像音声記録装置の構成について説明する。
【００９４】
図３は、本発明の実施の形態２による記録装置の構成を示すブロック図である。図３において、図１と同じ構成要素には同じ番号を付与した。
【００９５】
８は入力コンテンツの変化点を検出する変化点検出手段である。
【００９６】
なお、変化点検出手段８は、本発明の変化点検出手段に対応する。
【００９７】
つぎに、本実施の形態の記録装置の動作について説明する。
【００９８】
以下、コンテンツデータの記録動作について説明する。
【００９９】
入力コンテンツは一時記憶手段５に蓄積される。
【０１００】
同時に映像電子透かし検出手段２にて検出窓単位に映像信号の電子透かし検出が行われ、音声電子透かし検出手段３にて音声信号の検出窓単位に音声信号の電子透かし検出が行われ、複製制御情報が抽出される。このタイミングの一例を図４に示す。
【０１０１】
電子透かしの埋め込み形態によっては、入力コンテンツは電子透かし検出のために何らかの前処理が必要となる場合もある。たとえば、入力コンテンツがＭＰＥＧ２形式であり、音声用電子透かしがリニアＰＣＭ形式のデータからでないと検出できない場合には、ＭＰＥＧ２をデコードしてリニアＰＣＭ形式に変換する必要がある。特に図示しないが、このような前処理が必要に応じて実施される。
【０１０２】
電子透かしの検出窓開始は、制御手段４によって映像電子透かし検出手段２および音声電子透かし検出手段３に指示される。本実施の形態では音声信号の電子透かし検出窓（Ａｘ）が映像信号の電子透かし検出窓（Ｖｘ）より長いので、音声信号の電子透かし検出窓のタイミングで映像信号の電子透かし検出窓を開始させればよい。電子透かしの実装によっては所定の電子透かし検出窓分の時間が経過すると、電子透かし検出手段から検出が終了したことを通知し、引き続き次の電子透かし検出窓の処理を実施する場合もある。このような実装の場合、映像電子透かし検出手段２は音声電子透かし検出窓の途中で映像電子透かし検出が終了したことを通知し、引き続き次の映像電子透かし検出窓の処理を実施する。制御手段４は、音声電子透かし検出手段３からの音声電子透かし終了通知を受けた後、映像電子透かし検出手段２に映像電子透かし検出開始の指示を送ることにより、映像および音声の電子透かしを同時に検出開始することができる。
【０１０３】
同時に、変化点検出手段８によってコンテンツの変化点が検出される。以下、変化点検出手段８について説明する。
【０１０４】
コンテンツの変化点として、ここでは音声信号の所定時間以上の略無音期間を検出するものとする。
【０１０５】
図５に略無音期間を検出する変化点検出手段８のブロック図を、図６に変化点検出手段８の動作タイミングを示す波形図を示す。
【０１０６】
図５で、８１は入力波形の絶対値を求める絶対値化手段、８２は波形の絶対値を平滑化する平滑化手段、８３は平滑化された波形と予め決められた基準値とを比較する比較手段である。
【０１０７】
変化点検出手段８はリニアＰＣＭ信号を処理する。入力コンテンツは必要に応じてリニアＰＣＭ信号にデコードされているものとする。また、音声電子透かし検出手段３にデコード処理が含まれる場合、音声電子透かし検出手段３からデコード結果のリニアＰＣＭ信号を入手しても構わない。
【０１０８】
リニアＰＣＭ信号は絶対値化手段８１で絶対値化される。絶対値信号は平滑化手段８２で平滑化される。平滑化手段としては遮断周波数の低い低域通過フィルタを用いればよい。平滑化信号は、概略としては、図６の信号の上側の包絡線と見なせる。
【０１０９】
比較手段８３は、平滑化信号が予め決められた基準値より小さくなると、そこを起点として時間を計り始める（図６のｔ１）。基準値は、たとえば最大レベルに対して−４０ｄＢ〜−６０ｄＢ程度に設定することができる。所定の時間、たとえば２秒程度、基準値以下の信号区間が続くと無音区間開始とみなす（図６のｔ２）。その後も信号の比較を継続し、基準値より大きな信号が到来すると無音区間終了とみなす（図６のｔ３）。
【０１１０】
変化点としては、たとえば無音区間の開始（図６のｔ２）とすればよい。この場合無音の区間が所定時間続いた後なので、それ以前のコンテンツが一区切りついたと見なせる。また、これに加えて、基準値より大きな信号が再び到来した時点（図６のｔ３）も変化点としてもよい。これにより、たとえば放送受信において新たな番組が始まった時点を変化点と認識することも可能である。なお、この場合頭切れを防ぐ目的で、再び基準値より大きな信号が到来した時点（図６のｔ３）より少しさかのぼった時点を変化点としてもよい。ただし、このさかのぼった時間が無音区間の開始（図６のｔ２）とほぼ同時、あるいはそれよりも前になる場合は、無音区間の開始とまとめて一つの変化点として扱ってもよい。
【０１１１】
変化点検出手段８は変化点を検出すると、制御手段４に変化点を通知する。以下制御手段４について説明する。
【０１１２】
制御手段４は音声電子透かし検出窓単位に通知されてくる音声の複製制御情報、および映像の複製制御情報の両方が「複製禁止」であった場合には一時記憶手段５に蓄積されていたコンテンツデータを破棄し、通知されてくる複製制御情報のどちらか一方でも「複製可」もしくは「未検出」であった場合には、一時記憶手段５によって、コンテンツデータを記録手段６に書き出す制御を行う。なお、映像電子透かし検出手段２、および音声電子透かし検出手段３が複製制御情報を制御手段４に通知するときに一時記憶手段５に蓄積されているコンテンツデータは、電子透かし検出を実行した検出窓のコンテンツデータと一致する。
【０１１３】
また、制御手段４は変化点検出手段８からの変化点の通知に応じて、映像電子透かし検出手段２、および音声電子透かし検出手段３に電子透かし検出を新たに開始させるように制御する。
【０１１４】
電子透かしの方式によっては、一つ一つの検出窓で独立した検出をする方式もあれば、前の検出窓の結果も加味して検出を行う方式もある。後者の前の検出窓の結果を加味する方式の場合、変化点を検出した時には、前の検出窓の結果を加味せず、全く新たに検出を行うよう電子透かし検出手段を制御する。
【０１１５】
上記のように記録動作を行ったときに、コンテンツデータ内に埋め込まれた複製制御情報と記録媒体に記録されるコンテンツデータとの関係を図４を用いて説明する。
【０１１６】
時間は、同図において左から右へ経過していく。
【０１１７】
入力コンテンツは、最初複製制御情報が「複製可」であり、その後一旦「複製禁止」となり、その後再び「複製可」となっている。
【０１１８】
この入力コンテンツを映像電子透かし検出手段２、および音声電子透かし検出手段３に入力して電子透かしを検出し複製制御情報を取得する。前述の通り、電子透かしの検出は映像、音声それぞれの検出窓毎に出力される。映像電子透かし検出窓（Ｖ１）では、映像に含まれる電子透かしについて「複製可」が検出され、下向きの矢印で示したタイミングで検出結果が得られる。
【０１１９】
制御手段４は、変化点検出手段８から、図４の変化点（１）において変化点を通知される。変化点（１）において、制御手段４は、映像電子透かし検出手段２、音声電子透かし検出手段３に対して改めて電子透かし検出を開始するよう制御する。この結果、映像電子透かし検出手段２では検出窓（Ｖ２）が開始され、音声電子透かし検出手段３では検出窓（Ａ１）が中断されて新たに検出窓（Ａ２）が開始される。
【０１２０】
音声の検出窓（Ａ１）は中断されるので検出窓（Ａ１）に対する検出結果は得られず、音声電子透かしは未検出とみなす。また映像の検出窓（Ｖ１）は既に検出を完了し、「複製可」の電子透かしが検出されている。よって、検出窓（Ａ１）の変化点（１）までに対応するコンテンツは「複製可」である。このタイミングでは、当該部分のコンテンツデータが一時記憶手段５に蓄積されているので、記録手段６は検出結果にしたがって蓄積されたデータを記録媒体７に記録する。
【０１２１】
変化点（１）までは記録媒体７に記録されるので、この部分の尻切れは発生しない。
【０１２２】
映像の検出窓（Ｖ２）、音声の検出窓（Ａ２）は両方とも規定の時間の検出を行い、両方から「複製禁止」の電子透かしが検出される。よって、この部分は記録媒体７に記録されない。
【０１２３】
映像の検出窓（Ｖ３）は規定の時間の検出を行い、「複製禁止」の電子透かしが検出される。しかし、音声の検出窓（Ａ３）の途中で、変化点検出手段８から変化点（２）が通知される。このため、音声の検出窓（Ａ３）は中断され、検出結果は未検出となる。検出窓（Ａ１）の変化点（２）までの部分は、映像電子透かしは「複製禁止」、音声透かしは未検出である。よって、両者が「複製禁止」ではないため「複製可」とみなし、記録手段６は記録媒体７に当該部分を記録する。
【０１２４】
なお、検出窓が変化点通知により中断された場合には、そのコンテンツは変換点までは連続した複製制御情報をもっていたと考えて、その前検出窓の検出結果を中断された検出窓に適用する、としてもよい。この場合には、検出窓（Ａ１）の変化点（２）までの部分は、「複製禁止」となり、記録手段６は記録媒体７に当該部分を記録しない。
【０１２５】
変化点（２）において、制御手段４は、映像電子透かし検出手段２、音声電子透かし検出手段３に対して改めて電子透かし検出を開始するよう制御する。この結果、映像電子透かし検出手段２では検出窓（Ｖ４）が開始され、音声電子透かし検出手段３では検出窓（Ａ３）が中断されて新たに検出窓（Ａ４）が開始される。
【０１２６】
映像の検出窓（Ｖ４）、音声の検出窓（Ａ４）は両方とも規定の時間の検出を行い、両方から「複製可」の電子透かしが検出される。よって、この部分は記録媒体７に記録される。
【０１２７】
映像の検出窓（Ｖ４）、音声の検出窓（Ａ４）は変化点の通知によって識別されるのでコンテンツは先頭から記録される。
【０１２８】
以上のように制御することで、電子透かしによって「複製可」が指定されているコンテンツデータ部分に関し、記録媒体７に記録される。
【０１２９】
なお、入力コンテンツデータを圧縮して記録媒体７に記録する場合は、一時記憶手段５の前段に圧縮手段を配置する。制御内容は基本的に図３の構成の場合と同じである。
【０１３０】
また、コンテンツデータを暗号化して記録媒体に記録する場合は、コンテンツ暗号化部を一時記憶手段５の前段に配しても後段に配しても良いが、コンテンツ暗号化部を一時記憶手段５の後段に配すれば、「複製禁止」から「複製可」に遷移した際に暗号鍵を変更し、トラック（論理的なトラックである、以下同様）を分割して記録することが可能になる。
【０１３１】
なお、もし映像信号または音声信号のどちらか一方の複製制御が「複製禁止」、もう一方の複製制御情報が「複製可」もしくは「未検出」で合った場合、電子透かしの仕様によっては当該部分のコンテンツを「複製禁止」として破棄してもよい。すなわち、電子透かしが「一世代複製可」、「複製可」の２状態を「複製禁止」に誤検出する確率が十分に低くなるよう設計されている場合、「複製禁止」を優先するという考え方である。
【０１３２】
本実施の形態では、変化点検出手段が略無音期間を検出する方式について述べたが、音声信号のモノラル／ステレオ／二音声の切り替わりを検出してもよい。
【０１３３】
入力信号として、テレビ信号を扱う場合、モノラル／ステレオ／二音声の区別は、水平同期周波数ｆｈの３．５倍付近（５５．１２５ｋＨｚ）の搬送多重制御信号をＡＭ検波して得られる信号の周波数によって判別できる。ＡＭ検波出力が、９２２．５Ｈｚなら二音声、９５２．５Ｈｚならモノラル、９８２．５ｋＨｚならステレオである。変化点検出手段８がこのＡＭ検波出力を監視し、周波数が変化した点を変化点とする。
【０１３４】
また、変化点検出手段は入力信号の切り替えを検出してもよい。たとえば、テレビ信号を扱う場合、入力チャンネルが切り替えられたことを検知して、これを変化点とする。また、複数の入力端子をもつ記録機器であれば、入力切り替え操作を検知して、変化点としてもよい。
【０１３５】
また、変化点検出手段はＳＣＭＳなどのディジタル付加情報の切り替えを検出してもよい。
【０１３６】
また、変化点検出手段は、予め指定された時間を経過した場合、この時点を変化点としてもよい。たとえば、１５分単位で変化点を設けてもよい。
【０１３７】
また、変化点検出手段は予め指定された時刻を検出してもよい。たとえば、テレビ信号を扱う場合、毎正時を基準に１５分ごとを変化点としてもよい。このタイミングは番組の開始と一致する事が多い。
【０１３８】
なお、本発明のプログラムは、上述した本発明の記録方法の全部または一部のステップ（または、工程、動作、作用等）の動作をコンピュータにより実行させるためのプログラムであって、コンピュータと協働して動作するプログラムである。
【０１３９】
また、本発明の記録媒体は、上述した本発明の記録方法の全部または一部のステップ（または、工程、動作、作用等）の全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１４０】
なお、本発明の上記「一部のステップ（または、工程、動作、作用等）」とは、それらの複数のステップの内の、一つまたは幾つかのステップを意味する。
【０１４１】
また、本発明の上記「ステップ（または、工程、動作、作用等）の動作」とは、前記ステップの全部または一部の動作を意味する。  
【０１４２】
また、本発明のプログラムの一利用形態は、コンピュータにより読み取り可能な記録媒体に記録され、コンピュータと協働して動作する態様であっても良い。
【０１４３】
また、本発明のプログラムの一利用形態は、伝送媒体中を伝送し、コンピュータにより読みとられ、コンピュータと協働して動作する態様であっても良い。
【０１４４】
また、記録媒体としては、ＲＯＭ等が含まれ、伝送媒体としては、インターネット等の伝送媒体、光・電波・音波等が含まれる。
【０１４５】
また、上述した本発明のコンピュータは、ＣＰＵ等の純然たるハードウェアに限らず、ファームウェアや、ＯＳ、更に周辺機器を含むものであっても良い。
【０１４６】
なお、以上説明した様に、本発明の構成は、ソフトウェア的に実現しても良いし、ハードウェア的に実現しても良い。
【産業上の利用可能性】
【０１４７】
本発明にかかる記録装置、記録方法、プログラム、および記録媒体は、電子透かしによって埋め込まれた複製制御情報に基づき、映像データや音声データを複製する際に、より的確な複製制御を行うことができ、有用である。
【図面の簡単な説明】
【０１４８】
【図１】本発明の実施の形態１による記録装置の構成を示すブロック図
【図２】本発明の実施の形態１による電子透かし検出のタイミングの一例を示す図
【図３】本発明の実施の形態２による記録装置の構成を示すブロック図
【図４】本発明の実施の形態２による電子透かし検出のタイミングの一例を示す図
【図５】変化点検出手段８のブロック図
【図６】変化点検出手段８の動作タイミングを示す波形図
【図７】従来の記録装置のブロック図
【図８】従来の記録装置の映像用ＷＭ検出部５３のブロック図
【図９】従来の記録装置の音声用ＷＭ検出部５９のブロック図
【図１０】電子透かし情報の安定検出状態の図
【図１１】電子透かし情報の不安定検出状態の図
【図１２】複製制御や再生制御を行うための映像信号に重畳された複製制御情報と音声信号に重畳された複製制御情報との論理関係（組み合わせ）の図
【図１３】従来の電子透かし検出のタイミングの一例を示す図
【符号の説明】
【０１４９】
１  コンテンツデータ入力端子
２  映像電子透かし検出手段
３  音声電子透かし検出手段
４  制御手段
５  一時記憶手段
６  記録手段
７  記録媒体
８  変化点検出手段
【図１】
2005051626.tif 000003
【図２】
2005051626.tif 000004
【図３】
2005051626.tif 000005
【図４】
2005051626.tif 000006
【図５】
2005051626.tif 000007
【図６】
2005051626.tif 000008
【図７】
2005051626.tif 000009
【図８】
2005051626.tif 000010
【図９】
2005051626.tif 000011
【図１０】
2005051626.tif 000012
【図１１】
2005051626.tif 000013
【図１２】
2005051626.tif 000014
【図１３】
2005051626.tif 000015